(57)【要約】      （修正有）【課題】肌触りがよく、長時間良好な冷却作用を保持でき、しかも利用者に簡単に提供できる冷凍タオルを提供する。【解決手段】冷凍タオルは、ポリエステル長繊維のマイクロファイバーを含むパイル糸により編まれたパイル生地を有し、パイル生地が、下記の式１で示す吸水性評価指数Ｙが８００以上であり、吸水性評価指数Ｙ＝２５４５Ｘ1＋１４１１Ｘ2＋７９      （式１）Ｘ1：最大吸水速度（ｍｌ／秒）Ｘ2：最大吸水速度を示す時点での吸水量（ｍｌ）パイル生地によりタオル１に加工されていて、このタオル１に水分を含ませて冷凍させたものである。【選択図】図１
0003213573.tif 000002
【実用新案登録請求の範囲】
【請求項１】
ポリエステル長繊維のマイクロファイバーを含むパイル糸により編まれたパイル生地を有し、
前記パイル生地が式１で示す吸水性評価指数Ｙが８００以上であり、
吸水性評価指数Ｙ＝２５４５Ｘ1＋１４１１Ｘ2＋７９      （式１）
Ｘ1：最大吸水速度（ｍｌ／秒）
Ｘ2：最大吸水速度を示す時点での吸水量（ｍｌ）
前記パイル生地によりタオルに加工されていて、
このタオルに水分を含ませて冷凍させた冷凍タオル。
【請求項２】
タオルの幅が１３０ｍｍ以上３００ｍｍ以下であり、長さが９００ｍｍ以上１１００ｍｍ以下であるマフラー状であり、前記吸水性評価指数Ｙが８００以上である請求項１に記載の冷凍タオル。
【考案の詳細な説明】
【技術分野】
【０００１】
この考案は、水分を含んだ状態で氷点下に冷凍されたタオル製品に関する。
【背景技術】
【０００２】
細長いタオル状の物品を冷却させて、首部などを冷やすことについて、特許文献１および特許文献２に記載がある。これらは、いずれも保冷材を通常のタオルに取り付けたものである。
【先行技術文献】
【特許文献】
【０００３】
【特許文献１】特開２０１０−１７４３９７号公報
【特許文献２】登録実用新案公報第３００９４６９号
【考案の概要】
【考案が解決しようとする課題】
【０００４】
特許文献１に示すような断熱シートと保冷剤を重ねて首巻タオルに入れるか、または冷凍した保冷剤を断熱カバーに入れた後首巻タオルに入れて使用するものでは、首巻タオルと保冷剤は別々の物品であるので、それぞれ分けて管理する必要がある。使用する度に保冷剤を冷凍し、タオルに取り付けなければならず、使用後にはタオルから保冷剤を取り外してそれぞれを洗い、それぞれ分けて保管しなければならない。しかも、冷凍した保冷剤は固く、タオルでくるんだにしても首に巻いたときに、固い感触がある。さらに、保冷剤の当たる部分のみが冷却され、狭い範囲しか冷やすことはできない。
【０００５】
特許文献２に記載の冷涼タオルも、保冷剤を交換自在にする場合、タオルと保冷剤を別々に管理しなければならない点は同じである。また、保冷剤を保持するために、タオルにポケットを設けたり、面ファスナー、条ファスナー、ホック等を設けたりする必要があり、複雑で高価になる。これらの構造はタオル本来の機能である水分や汗を拭きとる作用においては役に立たないか、さらには邪魔になるものである。特許文献２では、保冷剤を碁盤目状に細かく区切ることによって、肌への冷却の程度を均一化できるかもしれないが、複雑で高価にならざるを得ないし、冷却剤の量は減少せざるを得なく、冷却できる時間も短くなる。
【０００６】
この考案は、肌触りがよく、長時間良好な冷却作用を保持でき、しかも利用者に簡単に提供できる冷凍タオルを提供することを目的とする。
【課題を解決するための手段】
【０００７】
上述の課題を解決するため、この考案の冷凍タオルは、ポリエステル長繊維のマイクロファイバーを含むパイル糸により編まれたパイル生地を有し、
前記パイル生地が式１で示す吸水性評価指数Ｙが８００以上であり、
吸水性評価指数Ｙ＝２５４５Ｘ1＋１４１１Ｘ2＋７９      （式１）
Ｘ1：最大吸水速度（ｍｌ／秒）
Ｘ2：最大吸水速度を示す時点での吸水量（ｍｌ）
前記パイル生地によりタオルに加工されていて、
このタオルに水分を含ませて冷凍させたものである。
また、上記の構成に加えて、タオルの幅が１３０ｍｍ以上３００ｍｍ以下であり、長さが９００ｍｍ以上１１００ｍｍ以下であり、前記吸水性評価指数Ｙが８００以上のマフラー状の冷凍タオルとしてもよい。
【考案の効果】
【０００８】
この考案の冷凍タオルはすでに冷却された状態であり、そのまま利用者に提供することができる。タオル生地特有のパイル表面により柔らかい肌触りであり、内部にゴツゴツした固定物を有しないので首に巻いたときにも装着感がよい。長時間に渡って冷却作用を維持し、しかも、肌や衣服等を濡らすことがない。この考案に係るタオルに水分を含ませて冷凍するだけで、簡単に作ることができる。
【図面の簡単な説明】
【０００９】
【図１】タオルを示す平面図である。
【図２】パイル生地の編み構造の例を示す平面図である。
【図３】同背面図である。
【考案を実施するための形態】
【００１０】
この考案を実施するための形態について説明する。図１はタオルを示す平面図である。この考案におけるタオル１は、その形状に特に制限はなく、冷却しようとする体の部位に当てたり取り付けたりするのに適した形状と、冷却に必要な水分量を保持するのに十分なボリュームがあればよい。本例では、首に巻き付けるのに適したマフラー状のものであり、細長い帯状の形状を有する。長さは７００ｍｍ以上１１００ｍｍ以下、幅は１００ｍｍ以上２００ｍｍ以下とすると、子どもから大柄な成人までの人に対応するのに適している。長さ９００ｍｍ以上１１００ｍｍ以下、幅１３０ｍｍ以上３００ｍｍ以下とすると、成人用として最適な大きさであり、首に装着しやすく、長時間冷却作用を維持するのに十分な水分を含むことができ、しかも乾燥時には通常のタオルとしても使いやすい。このタオルの素材となるタオル生地は編み編成を有する。
【００１１】
パイル生地について説明する。図２はパイル生地の構造を示す平面図、図３は同背面図である。
【００１２】
本例では丸編みにより得られる縦編みパイル生地であり、機械編みで製造することができる。このような丸編み機械はすでに普及している。
【００１３】
第１パイル糸Ｌ１は第１面２に現れるパイル糸である。この第１パイル糸Ｌ１はポリエステル長繊維糸である。仕上げ時において細かな繊維が多数あらわれるマイクロファイバーが使用される。特に、割繊糸を使用することが好ましく、ここでは７５デニール／３６本で、１６分割の割繊糸を使用している。
【００１４】
第２パイル糸Ｌ２は第２面３に現れるパイル糸である。この第２パイル糸Ｌ２はも第１パイル糸Ｌ１と同様にマイクロファイバーであるポリエステル長繊維糸  綿糸である。本例では、第２パイル糸Ｌ２も７５デニール／３６本で、１６分割の割繊糸を使用している。
【００１５】
また、本例ではパイル止め糸Ｌ３としてはフィラメントポリエステル４０デニール単糸を、下糸Ｌ４としてはフィラメントポリエステル７５デニール／３６の活栓糸を使用した。
【００１６】
本考案では、ポリエステルのマイクロファイバーを使用するとともに、吸水性評価指数が８００以上の大きな値となるように編むことが重要である。本例では、上述の糸を使用して丸編み機によって１３ゲージ（列）／インチの密度で丸編みを行った。これにより、吸水性評価指数Ｙが２２００以上であるパイル生地が得られる。また、同じ糸を使用して縦編みしても、同様な性質のパイル生地が得られる。
【００１７】
パイル糸によって形成されるループ状のパイルはそのまま残してもよく、シャーリングを行って、ループの先端を切り落としてもよい。本例では、両面ともループ状のパイルを残している。
【００１８】
ここで、吸水性評価指数について説明する。高吸水性繊維協議会、高吸水性タオル（洗髪用）認定基準吸水性試験方法による。
吸水性評価指数Ｙは次の通りで評価される。
吸水性評価指数Ｙ＝２５４５Ｘ1＋１４１１Ｘ2＋７９      （式１）
Ｘ1：最大吸水速度（ｍｌ／秒）
Ｘ2：最大吸水速度を示す時点での吸水量（ｍｌ）
ここで、最大吸水速度および最大吸水速度を示す時点での吸水量の測定は、JIS L 1907:2010 繊維製品の吸水性試験方法の「7.3  表面吸水法（最大吸水速度及び最大吸水速度時点の吸水量）」による。
【００１９】
本例のパイル生地についての吸水性評価指数の試験結果を表１に示す。未洗濯１回測定簡易試験による結果である。
【表１】
0003213573.tif 000003
本例のパイル生地は２２６１という極めて高い吸水性評価指数を示している。
【００２０】
このパイル生地を裁断し、縫製することによりタオルに加工する。形状や大きさは、冷却するべき体の部位や範囲、さらに冷却する時間にあわせて適宜選択することができる。本考案を適用するのに特に適しているのは図１に示すような細長いマフラー状の形状であり、マフラーのように首に巻いて使用する。特に長さ９００ｍｍ以上１１００ｍｍ以下、幅１３０ｍｍ以上３００ｍｍ以下とすると、成人の首に巻いて使用するのに最適な大きさであり、長時間冷却作用を維持するのに十分な水分を含むことができる。
【００２１】
このタオルに水分を含ませて、冷凍することにより冷凍タオルが得られる。ポリエステル長繊維のマイクロファイバーを含むパイル糸により編まれたパイル生地を有するので、十分な量の水分を吸収させることができる。冷凍は、タオルを折り畳んだり、複数のタオルを重ねた状態で行うことができる。そして、冷凍状態を保ちながら搬送し、使用者に提供する。
【００２２】
これまでは、水分を含んだタオルを凍らない程度に冷やすアイディアはあったが、タオルを凍らせるということは禁忌されていた。従来の綿織りのタオルを重ねて凍らせると、重なった表面同士が固くくっつき、これを剥がすときにパイル糸が抜けてしまうからである。しかし、本考案では、縦編みまたは丸編みのパイル生地を使用しているため、パイル糸が抜けることがない。
【００２３】
冷凍タオルの使用方法について説明する。この冷凍タオルは、そのまま冷却した体の部位にあてればよい。たとえば、図１に示すようなマフラー状の冷凍タオルの場合、マフラーのように首に巻き付けることができる。
【００２４】
この冷凍タオルは編みパイル生地よりなるために柔らかく、凍っていても自由に変形し、折り曲げたり巻き付けたりすることができる。しかも、冷凍状態ではある程度の固さも備えているので、巻き付けたり、あるいは軽く結んだりした状態を長時間維持することができるので、使用中に体から外れにくい。
【００２５】
首の中の血管には多くの血液が流れるので、首を冷やすことによって頭部をはじめとして体全体を効果的に冷やすことができ、熱中症の予防にも適している。この冷凍タオルは大量の水分を含んでいるので、長時間にわたって強い冷却作用を維持する。また、鉢巻のように頭に巻き付けたり、腕や足に巻き付けてもよい。
【００２６】
長時間使用しているうちに、凍っていた水分が溶けてくるが、この水分が体や衣服を濡らすことはない。この冷凍タオルのパイル生地は吸水性評価指数Ｙが８００以上であることより吸水力が強く、含まれている水分を引きつけ続け、水分が外に流れ出ることを防止する。したがって、冷凍タオルを肌に直接当てても、その部分はさらっとした感じである。
【００２７】
また、このパイル生地はマイクロファイバーによるパイルが表面に出ているため、余分な水分は蒸発し、その気化熱によっても体は冷やされることになる。
【００２８】
使用後も、洗濯すれば通常のタオルとして使用することができる。さらに、再度水分を含ませて冷凍すれば、冷凍タオルとして何度でも再使用することもできる。
【符号の説明】
【００２９】
１．タオル（冷凍タオル）
Ｌ１．第１パイル糸
Ｌ２．第２パイル糸
Ｌ３．止め糸
Ｌ４．下糸
【図１】
0003213573.tif 000004
【図２】
0003213573.tif 000005
【図３】
0003213573.tif 000006